(57)【要約】      （修正有）【課題】構造が簡単で部品点数も少なく、また階段の角度は常に一定になる車両用階段を提案する。【解決手段】車両用階段は、一対の側板２ａの間に不動に固定される踏み板２ｇを有する階段ユニット２と、車両の荷台床下に設けられ、引き出した階段ユニット２を所定の角度で支持する支持ユニット３とを備え、階段ユニット２は、側板２ａの外面から突き出す外向き突起２ｂを有し、支持ユニット３は、一対の支持板３ａと、支持板３ａに形成され外向き突起２ｂが挿入される案内溝３ｂと、階段ユニット２が所定の角度に回転した際に階段ユニット２に当接するストッパー３ｄとを備え、案内溝３ｂは、荷台床面の内側から外側に向かって延在する第一溝３ｂ１と、第一溝３ｂ１から荷台床面の外側に向かって下向きに傾斜しながら延在する第二溝３ｂ２とを有する。【選択図】図５
2018095120.tif 000002
【特許請求の範囲】
【請求項１】
一対の側板の間に不動に固定される複数の踏み板を有する階段ユニットと、車両の荷台床下に設けられ、該階段ユニットを荷台床面に沿って引き出し可能、且つ引き出した該階段ユニットを回転可能に支持するとともに回転した該階段ユニットを所定の角度で支持する支持ユニットとを備える車両用階段であって、
前記階段ユニットは、前記側板の外面から突き出す外向き突起を有し、
前記支持ユニットは、前記側板の両外側に設けられる一対の支持板と、該支持板に形成され前記外向き突起が挿入される案内溝と、前記階段ユニットが所定の角度に回転した際に該階段ユニットに当接するストッパーとを備え、
前記案内溝は、荷台床面の内側から外側に向かって延在する第一溝と、該第一溝から荷台床面の外側に向かって下向きに傾斜しながら延在し、外側溝端部で前記階段ユニットを支持する第二溝とを有する車両用階段。
【請求項２】
前記第一溝は、荷台床面の内側から外側に向かって上向きに傾斜しながら延在するものであり、
前記側板は、該側板の内面から突き出す内向き突起と、前記階段ユニットを引き出す前における該側板の外側端部に設けられる切り欠きを有し、
前記ストッパーは、前記階段ユニットを引き出す前における前記支持板の外側端部で該支持板を相互につなぐとともに前記切り欠きに係合して該階段ユニットの引き出しを阻止する一方、該階段ユニットが所定の角度に回転した際に前記内向き突起に当接する棒状部材である請求項１に記載の車両用階段。
【請求項３】
前記複数の踏み板のうち、前記階段ユニットを引き出す前において荷台床面の最も外側に位置する最外踏み板は、足を掛ける部位となる踏み板本体部と、該踏み板本体部から荷台床面の外側に向かって延在し該階段ユニットを引き出す際の持ち手となる踏み板補強部とを有する請求項１又は２に記載の車両用階段。
【発明の詳細な説明】
【技術分野】
【０００１】
本発明は、地面と車両の荷台床面との間を上り下りするのに好適な車両用階段に関するものである。
【背景技術】
【０００２】
従来、地面と車両の荷台床面との間を上り下りする際に使用する車両用階段としては、例えば特許文献１に示されるものが知られている。この車両用階段は、車両の荷台床下に設けた開口の内側に階段ユニットが収納されており、階段ユニットを引き出してその先端を地面に下ろすことによって、折り畳まれていた踏み板が階段状に展開して階段として使用することができるように構成されている。
【先行技術文献】
【特許文献】
【０００３】
【特許文献１】特開２００１−１９１８５３号公報
【発明の概要】
【発明が解決しようとする課題】
【０００４】
ところで特許文献１の車両用階段では、踏み板が主支柱と副支柱とに回転可能に取り付けられていてリンク機構を構成しているため、車両の開口内に納めたときには踏み板、主支柱、及び副支柱が水平方向を向いて高さが抑えられるという利点がある。しかし、可動部分が増えることから故障につながりやすくなる懸念があるうえ、部品点数が増えるためにコストの上昇が免れないという問題がある。またこの車両用階段は、主支柱の先端を地面に設置させて使用するものであるが、地面の凹凸や荷台に積んだ荷物の量による車高の変動によって地面からの荷台の高さは変わるため、地面からの荷台の高さが低くなれば階段の角度は緩やかになり、地面からの高さが高くなれば階段の角度は急になる。すなわち、使用状況によって階段の角度が変わってしまうという問題もある。
【０００５】
本発明は、このような問題点を解決することを課題とするものであり、従来よりも構造が簡単で部品点数も少なく、また階段の角度は常に一定になる車両用階段を提供することを目的とする。
【課題を解決するための手段】
【０００６】
本発明は、一対の側板の間に不動に固定される複数の踏み板を有する階段ユニットと、車両の荷台床下に設けられ、該階段ユニットを荷台床面に沿って引き出し可能、且つ引き出した該階段ユニットを回転可能に支持するとともに回転した該階段ユニットを所定の角度で支持する支持ユニットとを備える車両用階段であって、
前記階段ユニットは、前記側板の外面から突き出す外向き突起を有し、
前記支持ユニットは、前記側板の両外側に設けられる一対の支持板と、該支持板に形成され前記外向き突起が挿入される案内溝と、前記階段ユニットが所定の角度に回転した際に該階段ユニットに当接するストッパーとを備え、
前記案内溝は、荷台床面の内側から外側に向かって延在する第一溝と、該第一溝から荷台床面の外側に向かって下向きに傾斜しながら延在し、外側溝端部で前記階段ユニットを支持する第二溝とを有する車両用階段である。
【０００７】
このような車両用階段において、前記第一溝は、荷台床面の内側から外側に向かって上向きに傾斜しながら延在するものであり、
前記側板は、該側板の内面から突き出す内向き突起と、前記階段ユニットを引き出す前における該側板の外側端部に設けられる切り欠きを有し、
前記ストッパーは、前記階段ユニットを引き出す前における前記支持板の外側端部で該支持板を相互につなぐとともに前記切り欠きに係合して該階段ユニットの引き出しを阻止する一方、該階段ユニットが所定の角度に回転した際に前記内向き突起に当接する棒状部材であることが好ましい。
【０００８】
そして、前記複数の踏み板のうち、前記階段ユニットを引き出す前において荷台床面の最も外側に位置する最外踏み板は、足を掛ける部位となる踏み板本体部と、該踏み板本体部から荷台床面の外側に向かって延在し該階段ユニットを引き出す際の持ち手となる踏み板補強部とを有することが好ましい。
【発明の効果】
【０００９】
本発明の車両用階段は、踏み板が側板の間に不動に固定されているため、従来のものよりも構造が簡単で部品点数も少なくて済む。また、階段ユニットを引き出すことによって、階段ユニットの外向き突起は、支持ユニットの案内溝にガイドされて荷台床面の内側から外側に移動することになるが、案内溝を構成する第二溝は荷台床面の外側に向かって下向きに傾斜しながら延在しているため、外向き突起が第二溝にさしかかるまで階段ユニットを引き出せば、外向き突起は、階段ユニットの自重でもって第二溝の外側溝端部まで自動的に移動する。ここで、前述のように第二溝は荷台床面の外側に向かって下向きに傾斜するものであるため、第二溝の外側溝端部で下向きの移動が拘束されている外向き突起は、荷台床面の内側及び外側に対しても拘束されて、階段ユニットは位置決めされることになる。またこの状態において階段ユニットは、支持ユニットに設けたストッパーが当接することによって所定の角度で支持されるため、階段ユニットの姿勢も一意に定まることになる。すなわち本発明によれば、階段ユニットを地面の影響を受けずに所定の角度で支持することができる。
【００１０】
また、第一溝が荷台床面の内側から外側に向かって上向きに傾斜しながら延在するものであれば、階段ユニットを引き出す前において第一溝内にある外向き突起は、階段ユニットの自重でもって常に第一溝の内側溝端部に向けて移動することになる。このため、車両が走行する際の加速、減速によって階段ユニットを前後方向へ移動させる力が加わっても、階段ユニットの位置を維持することができる。更に、階段ユニットを引き出す前において、側板の外側端部に設けられる切り欠きに棒状部材を係合させることによって階段ユニットの引き出しが阻止されるため、意図せずに階段ユニットが車両の外側に飛び出してしまうことはない。
【００１１】
そして、階段ユニットを引き出す前において荷台床面の最も外側に位置する最外踏み板において、踏み板本体部から荷台床面の外側に向かって延在する踏み板補強部を設けておけば、この踏み板補強部を持ち手として使用できるため、使い勝手が向上する。
【図面の簡単な説明】
【００１２】
【図１】本発明に従う車両用階段の一実施形態につき、車両に取り付けた状態で示した斜視図である。
【図２】図１に示す階段ユニットにつき、（ａ）は平面図であり、（ｂ）は正面図（車両前側から後側に向かって見た図）であり、（ｃ）は側面図であり、（ｄ）は（ａ）に示すＡ−Ａに沿う断面図である。
【図３】図１に示す支持ユニットにつき、（ａ）は平面図であり、（ｂ）は正面図（車両前側から後側に向かって見た図）であり、（ｃ）は側面図であり、（ｄ）は（ａ）に示すＢ−Ｂに沿う断面図である。
【図４】図１に示す車両用階段において、階段ユニットを引き出す前の状態を示した図であって、（ａ）は平面図であり、（ｂ）は側面視での断面図である。
【図５】図１に示す車両用階段において、階段ユニットが所定の角度で支持される状態を示した図であって、（ａ）は平面図であり、（ｂ）は側面視での断面図である。
【発明を実施するための形態】
【００１３】
以下、図面を参照しながら本発明に従う車両用階段の一実施形態について説明する。図１における符号１は、本発明に従う車両用階段の一実施形態を示していて、符号１００は、車両用階段１を取り付ける車両を示している。本実施形態の車両１００は、トラックのような貨物自動車であって、荷物を載置するための荷台床１０１を有している。また、荷台床１０１の外側（本実施形態では車両１００の後側）には、荷物の積み卸しの際に使用する扉１０２が設けられていて、車両用階段１は車両１００の後側における荷台床１０１の下方に取り付けられている。なお、車両用階段１を取り付ける位置は車両１００の後側に限られるものではなく、車両１００の右側、或いは左側であってもよい。ここで、本明細書等における「前」、「後」、「左」、「右」、「上」、「下」とは、図１に示すように車両用階段１を車両１００に取り付けた状態での向きである（左右は、後から前に向かって見る場合の向きをいう）。なお、本明細書等では、車両用階段１について単独で説明する場合でも、図１に示す状態で取り付けられるとして、上述の「前」、「後」、「左」、「右」、「上」、「下」の向きで説明する。
【００１４】
車両用階段１は、地面と荷台床１０１との間を上り下りするための階段ユニット２と、荷台床１０１の下方に取り付けられる支持ユニット３とで構成されている。
【００１５】
階段ユニット２は、図２に示すように前後方向に延在する一対の側板２ａを備えている。側板２ａは、比較的厚みのある金属板で形成されていて、側板２ａの外面（対向する側板２ａに対して反対側の面）における前側には、円柱状をなす外向き突起２ｂが設けられている。なお、本実施形態の外向き突起２ｂは、一対の側板２ａ間の長さよりも長い金属製の円柱状の棒を予め側板２ａに設けていた穴に挿通することによって形成されるものである。また外向き突起２ｂには、外向き突起２ｂよりも大径になる幅方向位置決め部材２ｃが設けられている。なお、幅方向位置決め部材２ｃはドーナツ板状をなしていて、階段ユニット２と支持ユニット３とを組み合わせる際に外向き突起２ｂに挿入して取り付けを行う。
【００１６】
そして側板２ａの内面における前側には、四角柱状の内向き突起２ｄが設けられている。更に側板２ａの内面における下側には、対向する側板２ａに向けて延在して、側板２ａとの間でＬ字状をなす側板補強部２ｅが設けられている。また側板２ａの後側端部には、その下方を切り欠く切り欠き２ｆが設けられている。
【００１７】
また、対をなす側板２ａの間には、金属製の踏み板２ｇが合計３つ設けられている。踏み板２ｇは、例えば溶接等によってそれぞれの側板２ａに不動に固定されている。踏み板２ｇは、足を掛ける部位となる踏み板本体部２ｇ１と、踏み板本体部２ｇ１に対して直角をなすように設けられる一対の踏み板補強部２ｇ２とが設けられていて、全体としてコ字状をなすものである。なお、本実施形態の踏み板本体部２ｇ１は、図２に示すように前側から後側に向かって上方に延在していて、踏み板補強部２ｇ２は、前方から後方に向かって下向きに延在している。また、図示した踏み板本体部２ｇ１は板状であるが、複数の穴を設けたメッシュ状のものであってもよい。
【００１８】
支持ユニット３は、図３に示すように前後方向に延在する一対の支持板３ａを備えている。支持板３ａは比較的厚みのある金属板で形成されている。ここで、支持板３ａ間の長さは側板２ａ間の長さよりも長くなっていて、図４（ａ）に示すように階段ユニット２を支持ユニット３に組み込んだ状態において、支持板３ａは側板２ａの外側に位置する。
【００１９】
支持板３ａには、この支持板３ａを貫く案内溝３ｂが設けられている。案内溝３ｂは、前側から後側に向かって上向きに傾斜しながら延在する第一溝３ｂ１と、第一溝３ｂ１から後側に向かって下向きに傾斜しながら延在する第二溝３ｂ２とを備えている。また、案内溝３ｂの溝幅は、外向き突起２ｂよりも僅かに大きくなっている。
【００２０】
更に支持板３ａの前側端部には、支持板３ａ同士を連結する２つの連結板３ｃが設けられている。また、支持板３ａの後側端部には、本実施形態では円柱状をなしていて支持板３ａ同士を連結する棒状部材３ｄが設けられている。このように連結板３ｃと棒状部材３ｄが両方の支持板３ａを連結しているため、支持ユニット３は高い剛性を有している。また支持板３ａの外面における上側及び下側には、右側（或いは左側）に向けて延在する支持板補強部３ｅが設けられていて、この支持板補強部３ｅによっても支持ユニット３の剛性が高められている。
【００２１】
このような形態になる階段ユニット２と支持ユニット３を組み立てるにあたっては、階段ユニット２を傾けて外向き突起２ｂを案内溝３ｂに挿通させながら支持ユニット３の内側に載置する。そして、ドーナツ板状をなす幅方向位置決め部材２ｃを外向き突起２ｂの両端に挿入し、割ピン等で抜け止めをしたうえで、支持板３ａの外面に対して接するか、僅かに隙間をあける位置で、例えば溶接等によってこの棒に固定する。これにより、支持ユニット３に対して階段ユニット２は、幅方向のがたつきが抑えられた状態で、外向き突起２ｂが案内溝３ｂにガイドされるようにして移動することができる。なお、本実施形態では、外向き突起２ｂを形成する円柱状の棒を予め階段ユニット２に取り付けていたが、最初はこの棒を階段ユニット２に取り付けず、階段ユニット２と支持ユニット３とを組み立てる際に取り付けるようにしてもよい。
【００２２】
このようにして組み立てた階段ユニット２と支持ユニット３は、例えば図４に示すような吊り金具４を用いて、荷台床１０１の下方において車両１００に取り付けて使用される。図示は省略するが、荷台床１０１の下方には、荷台床１０１を支持する複数本のフレームが設けられていて、吊り金具４はこのフレームにボルト等によって固定される。なお、フレームのピッチは車両１００の種類によって様々であるが、吊り金具４には長穴を設けているため、任意の位置で固定することができる。また、吊り金具４を支持ユニット３に固定する支持板補強部３ｅには複数の穴が設けられていて、吊り金具４は、これらの穴と吊り金具４に設けた長穴を使って任意の位置に取り付けることができる。
【００２３】
図４は、階段ユニット２が支持ユニット３から引き出される前の状態を示している。ここで第一溝３ｂ１は、前側から後側に向かって上向きに傾斜しながら延在するものであるため、第一溝３ｂ１にある外向き突起２ｂは、階段ユニット２の自重でもって常に第一溝３ｂ１の前側溝端部に向けて移動することになる。このため、車両１００が走行する際の加速、減速によって階段ユニット２を前後方向へ移動させる力が加わっても、階段ユニット２の位置を維持することができる。更に、階段ユニット２の切り欠き２ｆは、支持ユニット３の棒状部材３ｄに係合しているため、意図せずに階段ユニット２が車両１００の外側に飛び出してしまうことはない。
【００２４】
支持ユニット３に収納されている階段ユニット２を引き出すにあたっては、まず階段ユニット２を引き上げて、切り欠き２ｆと棒状部材３ｄとの係合を解除する必要がある。ここで階段ユニット２の踏み板２ｇは、踏み板本体部２ｇ１から後側に向かって踏み板補強部２ｇ２が延在しているため、下方からこの踏み板補強部２ｇ２に手をかけることができる。そして階段ユニット２を持ち上げれば、切り欠き２ｆと棒状部材３ｄとの係合を解除することができ、そのまま手を掛けた状態で階段ユニット２を引き出すことができる。すなわち、踏み板補強部２ｇ２を持ち手として使用できる。
【００２５】
そして階段ユニット２を引き出していくと、第一溝３ｂ１を移動した外向き突起２ｂは第二溝３ｂ２にさしかかる。ここで第二溝３ｂ２は、第一溝３ｂ１から後側に向かって下向きに傾斜しながら延在するものであるため、第二溝３ｂ２まで移動した外向き突起２ｂは、階段ユニット２の自重でもって第二溝３ｂ２の後側溝端部まで自動的に移動する。そして、第二溝３ｂ２の外側溝端部で下向きの移動が拘束されている外向き突起２ｂは、傾斜する第二溝３ｂ２によって前側及び後側に対しても拘束されることになるため、階段ユニット２はこの位置で位置決めされることになる。その後は、階段ユニット２を支えていた力を緩めることで階段ユニット２は外向き突起２ｂを中心に回転し、階段ユニット２の内向き突起２ｄが支持ユニット３の棒状部材３ｄに当接して、階段ユニット２を所定の角度で支持することができる。ここで棒状部材３ｄは、その両側端部が支持板３ａに連結していて高い剛性を有しているため、階段ユニット２は所定の角度で安定的に支持される。なお階段ユニット２は、図５（ｂ）に示すように地面Ｇとは接触しないものである。このため階段ユニット２は、地面Ｇの影響を受けずに常に一定の角度で支持される。
【００２６】
以上、本発明に従う車両用階段の一実施形態について説明したが、本発明の車両用階段は上述した実施形態に限定されるものではなく、特許請求の範囲に従う範囲で適宜変更可能なものである。例えば左右２つの外向き突起２ｂは、本実施形態では一対の側板２ａ間の長さよりも長い１本の棒によって構成したが、長さの短い２本の棒で外向き突起２ｂをそれぞれ形成するようにしてもよい。また階段ユニット２を所定の角度で支持するものとして、前述の実施形態では階段ユニット２の側板２ａに設けた内向き突起２ｄを棒状部材３ｄに当接させるようにしたが、内向き突起２ｄを省略して側板２ａを棒状部材３ｄに当接するようにしてもよい。更に、第一溝３ｂ１は、前側から後側に向かって上向きに傾斜しながら延在することが好ましいが、前側から後側に向かって水平方向に延在するものであってもよい。また案内溝３ｂは、支持板３ａを貫く長穴状のものに限られず、支持板３ａの内面から内側にむけて平行な板片を突出させて、これらの板片で挟まれる空間を案内溝としてもよい。
【符号の説明】
【００２７】
１：車両用階段
２：階段ユニット
２ａ：側板
２ｂ：外向き突起
２ｃ：幅方向位置決め部材
２ｄ：内向き突起
２ｅ：側板補強部
２ｆ：切り欠き
２ｇ：踏み板
２ｇ１：踏み板本体部
２ｇ２：踏み板補強部
３：支持ユニット
３ａ：支持板
３ｂ：案内溝
３ｂ１：第一溝
３ｂ２：第二溝
３ｃ：連結板
３ｄ：棒状部材（ストッパー）
３ｅ：支持板補強部
４：吊り金具
１００：車両
１０１：荷台床
１０２：扉
Ｇ：地面
【図１】
2018095120.tif 000003
【図２】
2018095120.tif 000004
【図３】
2018095120.tif 000005
【図４】
2018095120.tif 000006
【図５】
2018095120.tif 000007
【手続補正書】
【提出日】平成29年4月7日(2017.4.7)
【手続補正１】
【補正対象書類名】特許請求の範囲
【補正対象項目名】全文
【補正方法】変更
【補正の内容】
【特許請求の範囲】
【請求項１】
一対の側板の間に不動に固定される複数の踏み板を有する階段ユニットと、車両の荷台床下に設けられ、該階段ユニットを荷台床面に沿って引き出し可能、且つ引き出した該階段ユニットを回転可能に支持するとともに回転した該階段ユニットを所定の角度で支持する支持ユニットとを備える車両用階段であって、
前記階段ユニットは、前記側板の外面から突き出す外向き突起と、該側板の内面から突き出す内向き突起とを有し、
前記支持ユニットは、前記側板の両外側に設けられる一対の支持板と、該支持板に形成され前記外向き突起が挿入される案内溝と、前記階段ユニットが所定の角度に回転した際に該階段ユニットに当接するストッパーとを備え、
前記案内溝は、荷台床面の内側から外側に向かって延在する第一溝と、該第一溝から荷台床面の外側に向かって下向きに傾斜しながら延在し、外側溝端部で前記階段ユニットを支持する第二溝とを有し、
前記ストッパーは、前記階段ユニットを引き出す前における前記支持板の外側端部で該支持板を相互につなぐとともに該階段ユニットが所定の角度に回転した際に前記内向き突起に当接する棒状部材であり、
前記内向き突起は四角柱状であり、前記棒状部材は円柱状であって、該階段ユニットが所定の角度に回転した際に該内向き突起は該棒状部材の中心軸よりも上方において該棒状部材に当接する車両用階段。
【請求項２】
前記第一溝は、荷台床面の内側から外側に向かって上向きに傾斜しながら延在するものであり、
前記側板は、前記階段ユニットを引き出す前における該側板の外側端部に設けられる切り欠きを有し、
前記ストッパーは、前記切り欠きに係合して該階段ユニットの引き出しを阻止するものである請求項１に記載の車両用階段。
【請求項３】
前記複数の踏み板のうち、前記階段ユニットを引き出す前において荷台床面の最も外側に位置する最外踏み板は、足を掛ける部位となる踏み板本体部と、該踏み板本体部から荷台床面の外側に向かって延在し該階段ユニットを引き出す際の持ち手となる踏み板補強部とを有する請求項１又は２に記載の車両用階段。
【手続補正２】
【補正対象書類名】明細書
【補正対象項目名】０００６
【補正方法】変更
【補正の内容】
【０００６】
本発明は、一対の側板の間に不動に固定される複数の踏み板を有する階段ユニットと、車両の荷台床下に設けられ、該階段ユニットを荷台床面に沿って引き出し可能、且つ引き出した該階段ユニットを回転可能に支持するとともに回転した該階段ユニットを所定の角度で支持する支持ユニットとを備える車両用階段であって、
前記階段ユニットは、前記側板の外面から突き出す外向き突起と、該側板の内面から突き出す内向き突起とを有し、
前記支持ユニットは、前記側板の両外側に設けられる一対の支持板と、該支持板に形成され前記外向き突起が挿入される案内溝と、前記階段ユニットが所定の角度に回転した際に該階段ユニットに当接するストッパーとを備え、
前記案内溝は、荷台床面の内側から外側に向かって延在する第一溝と、該第一溝から荷台床面の外側に向かって下向きに傾斜しながら延在し、外側溝端部で前記階段ユニットを支持する第二溝とを有し、
前記ストッパーは、前記階段ユニットを引き出す前における前記支持板の外側端部で該支持板を相互につなぐとともに該階段ユニットが所定の角度に回転した際に前記内向き突起に当接する棒状部材であり、
前記内向き突起は四角柱状であり、前記棒状部材は円柱状であって、該階段ユニットが所定の角度に回転した際に該内向き突起は該棒状部材の中心軸よりも上方において該棒状部材に当接する車両用階段である。
【手続補正３】
【補正対象書類名】明細書
【補正対象項目名】０００７
【補正方法】変更
【補正の内容】
【０００７】
このような車両用階段において、前記第一溝は、荷台床面の内側から外側に向かって上向きに傾斜しながら延在するものであり、
前記側板は、前記階段ユニットを引き出す前における該側板の外側端部に設けられる切り欠きを有し、
前記ストッパーは、前記切り欠きに係合して該階段ユニットの引き出しを阻止するものであることが好ましい。